(57)【要約】【課題】はんだ付けにて実装した電子部品について冷熱サイクルによる接続部の寿命を確保しつつ小型化を図ることができる電子制御装置を提供する。【解決手段】角形チップ部品２０，２１が回路基板１０に実装され、この回路基板１０が下ケース１に保持され、下ケース１と上ケース２を組み合わせて回路基板１０が収容され、ネジにより回路基板１０が下ケース１に固定されている。回路基板１０の表裏の各々の面に実装する角形チップ部品２０，２１のサイズについて、少なくとも回路基板１０の筐体（１，２）へ組み付ける前の反り形状及び下ケース１の材質により表裏の各々の面毎に決定した最大サイズ以下にしている。【選択図】図１
2007250772.tif 000002
【特許請求の範囲】
【請求項１】
表裏両面（Ｓａ，Ｓｂ）に、表面実装部品であってリードレスタイプの電子部品（２０，２１，４１，４２）がはんだ付けにて実装された回路基板（１０）と、
前記回路基板（１０）を保持する第１の筐体（１，４０）と、
前記第１の筐体（１，４０）と組み合わせて前記回路基板（１０）を収容する第２の筐体（２）と、
前記回路基板（１０）を前記第１の筐体（１，４０）に固定する固定手段（４）と、
を備えた電子制御装置において、
前記回路基板（１０）の表裏の各々の面に実装する前記電子部品（２０，２１，４１，４２）のサイズについて、少なくとも前記回路基板（１０）の筐体へ組み付ける前の反り形状及び前記第１の筐体（１，４０）の材質により表裏の各々の面毎に決定した最大サイズ以下にしてなることを特徴とする電子制御装置。
【請求項２】
請求項１に記載の電子制御装置において、
前記回路基板（１０）の表裏の各々の面に実装する前記電子部品（２０，２１，４１，４２）の最大サイズを、少なくとも前記回路基板（１０）の筐体へ組み付ける前の反り形状、前記第１の筐体（１，４０）の材質、及び電子部品（２０，２１，４１，４２）の種類によって決定してなることを特徴とする電子制御装置。
【請求項３】
請求項１または２に記載の電子制御装置において、
前記回路基板（１０）の熱膨張係数が前記第１の筐体（１）の熱膨張係数より小さい場合、前記回路基板（１０）の反り形状における凸側の面を凹側の面より実装する電子部品の最大サイズを大きくし、また、前記回路基板（１０）の熱膨張係数が前記第１の筐体（４０）の熱膨張係数より大きい場合、前記回路基板（１０）の反り形状における凹側の面を凸側の面より実装する電子部品の最大サイズを大きくしてなることを特徴とする電子制御装置。
【請求項４】
請求項３に記載の電子制御装置において、
前記回路基板（１０）の熱膨張係数を、前記回路基板（１０）に実装されたチップ部品（２０，２１）を基板実装面から直交する方向から見て、はんだ付けされた電極（２６）の中心線の方向（Ｘ）の前記回路基板（１０）の熱膨張係数としてなることを特徴とする電子制御装置。
【請求項５】
請求項１〜４のいずれか１項に記載の電子制御装置において、
前記回路基板（１０）の熱膨張係数が前記第１の筐体（１）の熱膨張係数より小さい場合、前記回路基板（１０）の反り量（ｄ）が大きいほど、前記回路基板（１０）の凸側の面へ実装する電子部品の最大サイズを大きく、凹側の面へ実装する電子部品の最大サイズを小さくし、また、前記回路基板（１０）の熱膨張係数が前記第１の筐体（４０）の熱膨張係数より大きい場合、前記回路基板（１０）の反り量（ｄ）が大きいほど、前記回路基板（１０）の凸側の面へ実装する電子部品の最大サイズを小さく、凹側の面へ実装する電子部品の最大サイズを大きくしてなることを特徴とする電子制御装置。
【請求項６】
請求項１〜５のいずれか１項に記載の電子制御装置において、
前記回路基板（１０）の表裏の各々の面に実装する電子部品の最大サイズを、電子制御装置が搭載される温度環境が高いほど小さくしてなることを特徴とする電子制御装置。
【請求項７】
請求項１〜６のいずれか１項に記載の電子制御装置において、
前記回路基板（１０）の表裏の各々の面に実装する電子部品の最大サイズを、はんだ供給量が少ないほど小さくしてなることを特徴とする電子制御装置。
【請求項８】
請求項５に記載の電子制御装置において、
前記回路基板（１０）の反り量（ｄ）を、少なくとも、基板サイズ、基板厚さ、基板物性、実装部品総重量から推定してなることを特徴とする電子制御装置。
【請求項９】
表裏両面（Ｓａ，Ｓｂ）に、表面実装部品であってリードレスタイプの電子部品（５０，５１）がはんだ付けにて実装された回路基板（１０）と、
前記回路基板（１０）を保持する第１の筐体（１）と、
前記第１の筐体（１）と組み合わせて前記回路基板（１０）を収容する第２の筐体（２）と、
前記回路基板（１０）を前記第１の筐体（１）に固定する固定手段（４）と、
前記固定手段（４）により前記回路基板（１０）が第１の筐体（１）に固定された状態において前記回路基板（１０）の反りを押し戻す押し戻し部材（５２）と、
を備えた電子制御装置において、
前記回路基板（１０）の表裏の各々の面に実装する前記電子部品（５０，５１）のサイズについて、少なくとも前記回路基板（１０）の筐体へ組み付ける前の反り形状により表裏の各々の面毎に決定した最大サイズ以下にしてなることを特徴とする電子制御装置。
【請求項１０】
請求項９に記載の電子制御装置において、
前記回路基板（１０）の表裏の各々の面に実装する前記電子部品（５０，５１）の最大サイズを、少なくとも前記回路基板（１０）の筐体へ組み付ける前の反り形状、及び電子部品（５０，５１）の種類によって決定してなることを特徴とする電子制御装置。
【請求項１１】
請求項９または１０に記載の電子制御装置において、
前記回路基板（１０）の反り形状の凸側の面を、凹側の面より、実装する最大サイズを大きくしてなることを特徴とする電子制御装置。
【請求項１２】
請求項９〜１１のいずれか１項に記載の電子制御装置において、
前記回路基板（１０）の反り量（ｄ）が大きいほど、前記回路基板（１０）の凸側の面へ実装する電子部品の最大サイズを大きくし、また、凹側の面へ実装する電子部品の最大サイズを小さくしてなることを特徴とする電子制御装置。
【請求項１３】
請求項９〜１２のいずれか１項に記載の電子制御装置において、
前記押し戻し部材（５２）により前記回路基板（１０）の反りを戻す量が小さいほど、前記回路基板（１０）の表裏の各々の面に実装する電子部品（５０，５１）の最大サイズを小さくしてなることを特徴とする電子制御装置。
【請求項１４】
請求項９〜１３のいずれか１項に記載の電子制御装置において、
前記回路基板（１０）の表裏の各々の面に実装する電子部品の最大サイズを、電子制御装置が搭載される温度環境が高いほど小さくしてなることを特徴とする電子制御装置。
【請求項１５】
請求項９〜１４のいずれか１項に記載の電子制御装置において、
前記回路基板（１０）の表裏の各々の面に実装する電子部品の最大サイズを、はんだ供給量が少ないほど小さくしてなることを特徴とする電子制御装置。
【請求項１６】
請求項１２に記載の電子制御装置において、
前記回路基板（１０）の反り量（ｄ）を、少なくとも、基板サイズ、基板厚さ、基板物性、実装部品総重量から推定してなることを特徴とする電子制御装置。
【請求項１７】
車載用電子制御装置である請求項１〜１６のいずれか１項に記載の電子制御装置。
【請求項１８】
車載用電子制御装置はエンジンルーム内に配置されるものである請求項１７に記載の電子制御装置。
【請求項１９】
車載用電子制御装置はエンジンルーム内においてエンジンに直接、搭載されるものである請求項１８に記載の電子制御装置。
【請求項２０】
表裏両面（Ｓａ，Ｓｂ）に、表面実装部品であってリードレスタイプの電子部品（２０，２１，４１，４２）がはんだ付けにて実装された回路基板（１０）と、
前記回路基板（１０）を保持する第１の筐体（１，４０）と、
前記第１の筐体（１，４０）と組み合わせて前記回路基板（１０）を収容する第２の筐体（２）と、
前記回路基板（１０）を前記第１の筐体（１，４０）に固定する固定手段（４）と、
を備えた電子制御装置において、
前記回路基板（１０）の表裏の各々の面に実装する前記電子部品（２０，２１，４１，４２）のサイズについて、少なくとも前記回路基板（１０）の筐体へ組み付ける前の反り形状、及び前記第１の筐体（１，４０）と前記回路基板（１０）との熱膨張率の関係から、熱膨張により前記回路基板（１０）の表裏面上に実装した前記電子部品の半田付け部に対し圧縮応力が発生する面側の電子部品と反対面側の電子部品とでは、最大となる電子部品のサイズが前記圧縮応力が発生する面側の前記電子部品の方が大きいことを特徴とする電子制御装置。
【請求項２１】
請求項２０に記載の電子制御装置において、
前記回路基板（１０）の熱膨張係数が前記第１の筐体（１）の熱膨張係数より小さい場合、前記回路基板（１０）の反り形状における凸側の面に実装される電子部品のうち、最大サイズとなる第１の電子部品のサイズは、前記反り形状における凹側の面に実装される電子部品のうち、最大サイズとなる第２の電子部品のサイズよりも大きいものである電子制御装置。
【請求項２２】
請求項２０に記載の電子制御装置において、
前記回路基板（１０）の熱膨張係数が前記第１の筐体（４０）の熱膨張係数より大きい場合、前記回路基板（１０）の反り形状における凹側の面に実装される電子部品のうち、最大サイズとなる第１の電子部品のサイズは、前記反り形状における凸側の面に実装される電子部品のうち、最大サイズとなる第２の電子部品のサイズよりも大きいものである電子制御装置。
【発明の詳細な説明】
【技術分野】
【０００１】
本発明は、部品を実装した回路基板を筐体内に収容した電子制御装置に関するものである。
【背景技術】
【０００２】
従来、電子制御装置においては、図１８（ａ）に示すように回路基板１００に電子部品１０１を実装し、この電子部品１０１を実装した回路基板１００を、図１８（ｂ）に示すように筐体１０２内に収容して構成している。具体的には、下ケース１０２ａの基板固定部１０３に回路基板１００を載せ、回路基板１００を貫通するようにネジ１０４を基板固定部１０３に螺入して回路基板１００を固定し、この状態から上ケース１０２ｂを被せて上ケース１０２ｂと下ケース１０２ａとを連結固定する。
【０００３】
そして、電子制御装置の実際の使用においては冷熱サイクルが加わることとなり、冷熱時の電子部品（角形チップ部品）１０１における回路基板１００とのはんだ接続部が劣化する。特許文献１には基板に実装した電子部品のはんだ接続寿命を予測する技術が開示されている。
【０００４】
筐体１０２内に回路基板１００を収容する前において、図１８（ａ）に示すように、回路基板１００に電子部品１０１を実装した状態では冷熱時の電子部品（角形チップ部品）１０１のはんだ接続部寿命は、大きいサイズほど寿命が短く、特定のサイズ以上は使用しないことではんだ接続部寿命を確保している。
【特許文献１】特開２００４−２５１６５１号公報
【発明の開示】
【発明が解決しようとする課題】
【０００５】
ところが、回路基板１００に電子部品１０１を実装するとき、機能上一つの部品でよいところを寿命を確保するために、サイズダウンして複数部品に分けているので、部品の数が増え、実装コストがかかる。
【０００６】
本発明は、上記問題点に着目してなされたものであり、その目的は、はんだ付けにて実装した電子部品について冷熱サイクルによる接続部の寿命を確保しつつ小型化を図ることができる電子制御装置を提供することにある。
【課題を解決するための手段】
【０００７】
本願発明者らは、従来では基板の表側裏側の状態等を特に考慮せず、一律で寿命を考慮していた点に着目した。すなわち、回路基板は基板上に電子部品を搭載し、熱処理を行うことで回路基板上の配線パッド部と回路基板上に搭載された電子部品の電極とのはんだによる電気的接続を形成するようにしているため、回路基板上に搭載した電子部品の重さによって熱処理時に基板が撓む。さらにこの事実に加え、実使用時の冷熱サイクルでの基板の変形により接続部にかかる応力の作用の仕方に着目したことにより、本願発明を導き出した。
【０００８】
すなわち、上記の課題を解決するために、請求項１に記載の発明では、回路基板の表裏の各々の面に実装する電子部品のサイズについて、少なくとも回路基板の筐体へ組み付ける前の反り形状及び第１の筐体の材質により表裏の各々の面毎に決定した最大サイズ以下にしたことを要旨とする。
【０００９】
尚、電子部品のサイズとは、投影形状がほぼ矩形である電子部品の一方向における両端にそれぞれ電極が形成されるが、この電極が形成された両端間の距離によって決まる寸法を言う。
【００１０】
請求項１に記載の発明によれば、反った回路基板を第１の筐体に固定した状態で冷熱サイクルが加わった場合、回路基板の表裏の各々の面では電子部品のはんだ接続寿命について状況が異なっており、それに合わせた電子部品の最大サイズ以下にすることにより、はんだ付けにて実装した電子部品について冷熱サイクルによる接続部の寿命を確保しつつ小型化を図ることができる。
【００１１】
請求項２に記載のように、請求項１に記載の電子制御装置において、前記回路基板の表裏の各々の面に実装する前記電子部品の最大サイズを、少なくとも前記回路基板の筐体へ組み付ける前の反り形状、前記第１の筐体の材質、及び電子部品の種類によって決定することにより、電子部品の種類毎にはんだ寿命が確保できる部品最大サイズを規定することができ、請求項１の効果を電子部品の種類毎で得ることができる。
【００１２】
請求項３に記載のように、請求項１または２に記載の電子制御装置において、前記回路基板の熱膨張係数が前記第１の筐体の熱膨張係数より小さい場合、前記回路基板の反り形状における凸側の面を凹側の面より実装する電子部品の最大サイズを大きくし、また、前記回路基板の熱膨張係数が前記第１の筐体の熱膨張係数より大きい場合、前記回路基板の反り形状における凹側の面を凸側の面より実装する電子部品の最大サイズを大きくすると、回路基板を固定する筐体の材質（材料）に合わせて、回路基板の表裏それぞれにおいて最適な実装部品サイズを設定することができ、筐体材質（材料）に適した部品配置とすることができる。
【００１３】
請求項４に記載のように、請求項３に記載の電子制御装置において、前記回路基板の熱膨張係数を、前記回路基板に実装されたチップ部品を基板実装面から直交する方向から見て、はんだ付けされた電極の中心線の方向の前記回路基板の熱膨張係数とすると、電子部品の実装方向に合わせて、回路基板の表裏それぞれにおいて最適な実装部品サイズを設定することができる。
【００１４】
請求項５に記載のように、請求項１〜４のいずれか１項に記載の電子制御装置において、前記回路基板の熱膨張係数が前記第１の筐体の熱膨張係数より小さい場合、前記回路基板の反り量が大きいほど、前記回路基板の凸側の面へ実装する電子部品の最大サイズを大きく、凹側の面へ実装する電子部品の最大サイズを小さくし、また、前記回路基板の熱膨張係数が前記第１の筐体の熱膨張係数より大きい場合、前記回路基板の反り量が大きいほど、前記回路基板の凸側の面へ実装する電子部品の最大サイズを小さく、凹側の面へ実装する電子部品の最大サイズを大きくすると、回路基板の凹凸に加え、凹凸度合いを考慮することができ、回路基板の表裏それぞれにおいて実装可能な最大部品サイズの選定の精度を向上することができる。
【００１５】
請求項６に記載のように、請求項１〜５のいずれか１項に記載の電子制御装置において、前記回路基板の表裏の各々の面に実装する電子部品の最大サイズを、電子制御装置が搭載される温度環境が高いほど小さくすると、いろいろな搭載環境に適した、実装部品配置が可能となる。
【００１６】
請求項７に記載のように、請求項１〜６のいずれか１項に記載の電子制御装置において、前記回路基板の表裏の各々の面に実装する電子部品の最大サイズを、はんだ供給量が少ないほど小さくすると、はんだ供給量に適した、実装部品配置が可能となる。
【００１７】
請求項８に記載のように、請求項５に記載の電子制御装置において、前記回路基板の反り量を、少なくとも、基板サイズ、基板厚さ、基板物性、実装部品総重量から推定することにより、回路基板の凹凸に加え、凹凸度合いを考慮することができ、しかも、回路基板の表裏それぞれにおいて実装可能な最大部品サイズの選定が電気回路（サーキット）を製作する前にでき、冷熱評価での不良（ＮＧ）による設計変更を低減することができる。
【００１８】
請求項９に記載の発明では、固定手段により回路基板が第１の筐体に固定された状態において回路基板の反りを押し戻す押し戻し部材を備えた電子制御装置において、前記回路基板の表裏の各々の面に実装する電子部品のサイズについて、少なくとも前記回路基板の筐体へ組み付ける前の反り形状により表裏の各々の面毎に決定した最大サイズ以下にしたことを要旨とする。
【００１９】
請求項９に記載の発明によれば、回路基板を第１の筐体に反りを押し戻しつつ固定した状態において回路基板の表裏の各々の面では冷熱サイクル時の電子部品のはんだ接続寿命について状況が異なっており、それに合わせた電子部品の最大サイズ以下にすることにより、はんだ付けにて実装した電子部品について冷熱サイクルによる接続部の寿命を確保しつつ小型化を図ることができる。
【００２０】
請求項１０に記載のように、請求項９に記載の電子制御装置において、前記回路基板の表裏の各々の面に実装する前記電子部品の最大サイズを、少なくとも前記回路基板の筐体へ組み付ける前の反り形状、及び電子部品の種類によって決定することにより、電子部品の種類毎にはんだ寿命が確保できる部品最大サイズを規定することができ、請求項９の効果を電子部品の種類毎で得ることができる。
【００２１】
請求項１１に記載のように、請求項９または１０に記載の電子制御装置において、前記回路基板の反り形状の凸側の面を、凹側の面より、実装する最大サイズを大きくすると、回路基板の反り形状に合わせて、回路基板の表裏それぞれにおいて最適な実装部品サイズを設定することができ、反り形状に適した部品配置とすることができる。
【００２２】
請求項１２に記載のように、請求項９〜１１のいずれか１項に記載の電子制御装置において、前記回路基板の反り量が大きいほど、前記回路基板の凸側の面へ実装する電子部品の最大サイズを大きくし、また、凹側の面へ実装する電子部品の最大サイズを小さくすると、回路基板の凹凸に加え、凹凸度合いを考慮することができ、回路基板の表裏それぞれにおいて実装可能な最大部品サイズの選定の精度向上を図ることができる。
【００２３】
請求項１３に記載のように、請求項９〜１２のいずれか１項に記載の電子制御装置において、前記押し戻し部材により前記回路基板の反りを戻す量が小さいほど、前記回路基板の表裏の各々の面に実装する電子部品の最大サイズを小さくすると、回路基板を筐体へ組み付けした際の回路基板の反り戻し量を考慮して、回路基板の表裏それぞれにおいて実装可能な最大部品サイズの選定の精度向上を図ることができる。
【００２４】
請求項１４に記載のように、請求項９〜１３のいずれか１項に記載の電子制御装置において、前記回路基板の表裏の各々の面に実装する電子部品の最大サイズを、電子制御装置が搭載される温度環境が高いほど小さくすると、いろいろな搭載環境に適した、実装部品配置が可能となる。
【００２５】
請求項１５に記載のように、請求項９〜１４のいずれか１項に記載の電子制御装置において、前記回路基板の表裏の各々の面に実装する電子部品の最大サイズを、はんだ供給量が少ないほど小さくすると、はんだ供給量に適した、実装部品配置が可能となる。
【００２６】
請求項１６に記載のように、請求項１２に記載の電子制御装置において、前記回路基板の反り量を、少なくとも、基板サイズ、基板厚さ、基板物性、実装部品総重量から推定すると、回路基板の凹凸に加え、凹凸度合いを考慮することができ、しかも、回路基板の表裏それぞれにおいて実装可能な最大部品サイズの選定が電気回路（サーキット）を製作する前にでき、冷熱評価での不良（ＮＧ）による設計変更を低減することができる。
【００２７】
請求項１７に記載のように、車載用電子制御装置に適用したり、さらに、請求項１８に記載のように、エンジンルーム内に配置されるものであったり、特に、請求項１９に記載のように、エンジンルーム内においてエンジンに直接、搭載されるものであると、特に有用である。
【００２８】
また、請求項２０乃至２２に記載の電子制御装置においては、回路基板の表裏の各々の面に実装する電子部品のサイズについて、少なくとも回路基板の筐体へ組み付ける前の反り形状、及び第１の筐体と回路基板との熱膨張率の関係から、熱膨張により回路基板の表裏面上に実装した電子部品の半田付け部に対し圧縮応力が発生する面側の電子部品と反対面側の電子部品とでは、最大となる電子部品のサイズが圧縮応力が発生する面側の電子部品の方が大きいことを特徴としている。
【００２９】
より具体的には、回路基板の熱膨張係数が第１の筐体の熱膨張係数より小さい場合、回路基板の反り形状における凸側の面に実装される電子部品のうち、最大サイズとなる第１の電子部品のサイズが、反り形状における凹側の面に実装される電子部品のうち、最大サイズとなる第２の電子部品のサイズよりも大きいものとする。
【００３０】
逆に、回路基板の熱膨張係数が第１の筐体の熱膨張係数より大きい場合、回路基板の反り形状における凹側の面に実装される電子部品のうち、最大サイズとなる第１の電子部品のサイズが、反り形状における凸側の面に実装される電子部品のうち、最大サイズとなる第２の電子部品のサイズよりも大きいものとする。
【００３１】
このようにすることで、請求項１に記載の発明と同様に、従来よりも大きなリードレスタイプの電子部品を回路基板に搭載し実使用にて熱膨張が生じたとしても、はんだ接続部の寿命を維持することができる。つまり、熱膨張により回路基板自身の反りが戻る方向（凸となっている形状が平坦に戻ろうとするような場合）においては、凸側の面に搭載する電子部品のサイズを凹側の面に搭載する電子部品のサイズよりも大きくしたとしてもその電子部品の接続部のはんだの寿命を、凹側の面に搭載した電子部品の接続部のはんだ寿命と同等に維持することができる。逆に、熱膨張により回路基板自身の反りがさらに大きくなる方向（反りが強まり凸となっている形状の凸の高さがより大きくなるような場合）においては、凹側の面に搭載する電子部品のサイズを凸側の面に搭載する電子部品のサイズよりも大きくしたとしてもその電子部品の接続部のはんだの寿命を、凸側の面に搭載した電子部品の接続部のはんだ寿命と同等に維持することができる。従って、従来は一律でどちらの面においてもその最大サイズを決めてしまっており、電子部品（例えばチップ抵抗など）を分割搭載しなければならなかったが、本願発明では、回路基板の反り形状と熱膨張により決まる電子部品のはんだ接続部への応力との関係に鑑みて搭載可能な電子部品の最大サイズをそれぞれの面にて規定することにより、従来に比してより大きな電子部品を凸面側あるいは凹面側のどちらかの面に搭載することが可能となった。
【発明を実施するための最良の形態】
【００３２】
（第１の実施の形態）
以下、本発明を具体化した第１の実施形態を図面に従って説明する。
本実施形態においては、電子制御装置は車載用電子制御装置であって、この電子制御装置はエンジンルーム内に配置され、詳しくは、エンジンに直接搭載される。よって、その使用環境としては−４０〜＋１２０℃の冷熱サイクルが加わることになる。
【００３３】
図１（ａ），（ｂ），（ｃ）は、第１の実施形態を説明するための概略構成図であり、図１（ａ）は回路基板１０に電子部品としての角形チップ部品（角形チップ抵抗器）２０，２１とコネクタ３０を実装する前の状態を示し、図１（ｂ）は回路基板１０に角形チップ部品（角形チップ抵抗器）２０，２１とコネクタ３０を実装した後の筐体収容前の状態を示し、図１（ｃ）は角形チップ部品（角形チップ抵抗器）２０，２１とコネクタ３０を実装した回路基板１０を、筐体（１，２）内に収容した後の状態を示す。
【００３４】
図２には、電子部品としての角形チップ抵抗器を回路基板１０に実装した状態での平面図を示す。図３には、図２におけるＡ−Ａ線での縦断面を示す。
図１（ｂ）に示すように回路基板１０には角形チップ部品（角形チップ抵抗器）２０，２１が実装されるが、より詳しくは、その平面構成（上から回路基板１０を見たときの構成図）としては図４に示すようになっているとともに、下面構成（下から回路基板１０を見たときの構成図）としては図５に示すようになっている。
【００３５】
図４に示すように、回路基板１０の上面（表面）には、角形チップ部品（抵抗、コンデンサなど）９０、ミニモールド部品（トランジスタ、ダイオードなど）９１、異形特殊部品（アルミ電解コンデンサなど）９２、ＳＯＰ（スモールアウトラインパッケージ）やＱＦＰ（クワッドフラットパッケージ）などのリード部品９３、などが実装されている。また、図５に示すように、回路基板１０の下面（裏面）には、角形チップ部品（抵抗、コンデンサなど）９４、ミニモールド部品（トランジスタ、ダイオードなど）９５、ＳＯＰやＱＦＰなどのリード部品９６、などが実装されている。
【００３６】
この図４，５において、ミニモールド部品９１，９５や異形特殊部品９２やリード部品９３，９６は、冷熱サイクルの際に、リード部分で、はんだ部にかかる歪みが緩和されるため、冷熱サイクル時のはんだ付け部の寿命は長い。しかし、角形チップ部品９０，９４は、はんだ部にかかる歪みの吸収部がないため、冷熱サイクル時のはんだ部の歪みが大きくなり、はんだ付け部の寿命が短い。
【００３７】
そこで、はんだ付け部の歪み緩和構造がない代表的な角形チップ部品に着目し、本実施形態を説明する。
図１（ｃ）において、電子制御装置は、下ケース１と上ケース２と回路基板１０と角形チップ部品（角形チップ抵抗器）２０，２１とコネクタ３０が備えられている。角形チップ部品（角形チップ抵抗器）２０，２１は、表面実装部品であって、投影形状が略四角形状のリードレスタイプの電子部品である。この角形チップ部品２０，２１は、その他の部品（図示は省略）と共に、はんだ付けにて回路基板１０に実装される。下ケース１はアルミよりなる。上ケース２は樹脂あるいは金属よりなる。これら上ケース２、下ケース１は例えばダイキャスト等の工程により形成される。回路基板１０は図３に示すように多層基板を用いており、絶縁層１１ａと導体層（配線パターン）１１ｂとが交互に積層され、各層の導体層（配線パターン）１１ｂはビアホール１１ｃを通して電気的に接続されている。絶縁層１１ａの材質は、例えばガラス繊維が配合されたエポキシ樹脂からなる。回路基板１０に実装された角形チップ部品（角形チップ抵抗器）２０，２１に関して、図２，３に示すように、チップ本体２５は平面形状が長方形をなし、そのチップ本体２５の短辺部に電極２６が形成され、この電極２６と回路基板１０側のランド１２とがはんだ２７により機械的・電気的に接続されている。
【００３８】
図１（ａ）に示すように、コネクタ３０は樹脂製のコネクタ本体３１にコネクタピン３２が貫通する状態で一体化されている。図１（ｂ）に示すように、コネクタ３０のコネクタピン３２が回路基板１０を貫通する状態ではんだ付けされている。ここで、筐体収容前においては回路基板１０は、下側に凸となるように反っている。
【００３９】
図１（ｃ）に示すように、回路基板１０を保持するための第１の筐体としての下ケース１は複数個の基板固定部３を具備しており、この基板固定部３の上に回路基板１０を載せ、この状態で固定手段としてのネジ４を、回路基板１０を貫通して下ケース１の基板固定部３に螺入することにより回路基板１０が下ケース１に固定されている。ネジ４による固定箇所は、長方形状をなす回路基板１０における四隅の四箇所である。また、下ケース１の上に上ケース２が配置され、下ケース１の縁部と上ケース２の縁部とが当接し、この状態で両者が連結固定されている。このように第２の筐体としての上ケース２は下ケース１と組み合わせて回路基板１０を収容する。回路基板１０の線膨張係数とアルミ製下ケース１の線膨張係数との関係として、アルミ製下ケース１より回路基板１０の方が線膨張係数が小さい。
【００４０】
角形チップ部品２０が回路基板１０の上面（表面）Ｓａ側へ、角形チップ部品２１が回路基板１０の下面（裏面）Ｓｂ側へ実装されている。ここで、角形チップ部品２０に比べ角形チップ部品２１の方がサイズが大きくなっており（Ｌ２１＞Ｌ２０）、回路基板１０の筐体へ組み付ける前の反り形状及び下ケース１の材質により表裏の各々の面毎に決定した最大サイズ以下にしている。即ち、回路基板１０の表裏の各々の面に実装する電子部品（２０，２１）のサイズについて、少なくとも回路基板１０の筐体へ組み付ける前の反り形状、及び下ケース１と回路基板１０との熱膨張率の関係から、熱膨張により回路基板１０の表裏面上に実装した電子部品の半田付け部に対し圧縮応力が発生する面側の電子部品（２１）と反対面側の電子部品（２０）とでは、最大となる電子部品のサイズが圧縮応力が発生する面側の電子部品（２１）の方が大きい。これにより、従来のように、電子部品のはんだ接続寿命を確保するために、回路基板の表面と裏面で電子部品の最大サイズを一律に同じにする必要はなくなり、電子部品の分割搭載による電子部品数増加を低減させることができるとともにはんだ接続寿命を確保しつつ小型化を図ることができる。詳しくは、回路基板１０の熱膨張係数が下ケース１の熱膨張係数より小さい場合、回路基板１０の反り形状における凸側の面Ｓｂを、凹側の面Ｓａより、実装する電子部品の最大サイズを大きくしている（回路基板１０の熱膨張係数が下ケース１の熱膨張係数より小さい場合、回路基板１０の反り形状における凸側の面に実装される電子部品のうち、最大サイズとなる第１の電子部品（２１）のサイズ（Ｌ２１）は、反り形状における凹側の面に実装される電子部品のうち、最大サイズとなる第２の電子部品（２０）のサイズ（Ｌ２０）よりも大きい）。その結果、回路基板１０を固定する筐体の材質（材料）に合わせて、回路基板１０の表裏それぞれにおいて最適な実装部品サイズを設定することができ、筐体材料に適した部品配置とすることができ、電子制御装置の信頼性向上を図ることができるようになる。
【００４１】
ここでの電子部品のサイズは、図２，３に示すように、投影形状がほぼ矩形である電子部品の一方向における両端にそれぞれ電極２６が形成されるが、この電極２６が形成された両端間の距離Ｌによって決まる寸法である。
【００４２】
回路基板１０の反りについて言及する。
図１（ａ）に示すように、回路基板１０には、角形チップ部品２０，２１やコネクタ３０をはんだ付けする前には殆ど反りはない。各種部品等を搭載し、はんだ付けのための加熱工程によって基板の反りが生ずる。
【００４３】
図１（ａ）の所定のパターンの配線ならびに部品等が搭載されるランド部を有する回路基板１０を用意する。回路基板１０に対しランド１２等にクリームはんだを塗布し角形チップ部品２０，２１やコネクタ３０等を装着し、この状態で回路基板１０の対向する辺をレールで支持しつつ炉内に入れて加熱するとクリームはんだが溶融してはんだ付けが完了する。このはんだ付け後において、図１（ｂ）に示すように、回路基板１０は、実装部品の重量や回路基板１０の自重により、下に凸の状態、即ち凹形状に反っている。尚、クリームはんだを加熱して溶融しチップ部品等の素子を基板のパッド（ランド）に接続する工程は、回路基板１０に対し、表面と裏面の両方をそれぞれ別々の工程で行っている。そして、２回目の加熱工程（リフロー工程）にて上側に来る面が、その面に搭載されている素子等の部品の重さならびに回路基板自身の自重により、下に凸の反り形状となる。つまりこの工程にて上側に来る面が凹面となる。
【００４４】
そして、実使用の冷熱サイクル時、即ち、図１（ｃ）で実線で示す低温状態から、高温雰囲気下になると、回路基板１０とアルミ製下ケース１の線膨張率の差により、図１（ｃ）での一点鎖線で示すように回路基板１０の反り量が減少する。よって、回路基板１０の上面（表面）Ｓａ側の角形チップ部品（角形チップ抵抗器）２０は、引張力が発生する。そのため、はんだ接続部の寿命に影響するはんだ歪みが大きくなり、はんだ接続寿命が低下する。一方、回路基板１０の下面（裏面）Ｓｂ側の角形チップ部品２１は、圧縮力が発生する。そのため、はんだ接続部の寿命に影響する歪みが小さくなり、はんだ接続寿命が向上する。
【００４５】
よって、回路基板１０の下面（裏面）Ｓｂ側は回路基板１０の上面（表面）Ｓａ側より大きなサイズが実装可能となる。
この効果は有限要素法（ＦＥＭ）を使って、次の（ｉ）〜（ｉｖ）の物性値で弾塑性クリープ解析を実施した結果からも明らかである。
【００４６】
（ｉ）図２，３のチップ本体２５について、ヤング率が３３３４００ＭＰａ、ポアソン比が０．２３、熱膨張係数が７．２ｐｐｍ／℃とした。
（ｉｉ）図２，３のチップ部品電極２６について、ヤング率が２０５４００ＭＰａ、ポアソン比が０．３０９、熱膨張係数が１１ｐｐｍ／℃とした。
【００４７】
（ｉｉｉ）図２，３のランド１２について、ヤング率が１３１５００ＭＰａ、ポアソン比が０．３４５、熱膨張係数が１６．８ｐｐｍ／℃とした。
（ｉｖ）図２，３の回路基板本体（符号１１ａ，１１ｂ）について、ヤング率が１９５００ＭＰａ、ポアソン比が０．２、熱膨張係数は図２中Ｘ方向が１６．５ｐｐｍ／℃、図２中Ｙ方向が１４．９ｐｐｍ／℃、図２中Ｚ方向が６５ｐｐｍ／℃とした。ここで、Ｘ，Ｙ，Ｚとは３軸直交座標の各軸の方向であり、「Ｘ」が回路基板１０に実装されたチップ部品を上面から見てはんだ付けされた電極２６の中心線の方向であり、「Ｙ」がチップ部品を上面から見てＸに直交する方向であり、「Ｚ」が基板の厚み方向である。
【００４８】
（ｖ）図２，３のはんだ２７について、ヤング率が４５０００（＠−４０℃）、３５８００（＠２５℃）、２２６００（＠８０℃）、１８０００（＠１２５℃）、ポアソン比が０．３、熱膨張係数が１９．２ｐｐｍ／℃、降伏応力が３５．９（＠−４０℃）、２５．６（２５℃）、１６．１（＠８０℃）、１２．８（＠１２５℃）、クリープ定数Ａ（Ｍｐａ／ｈ）が８×１０−４０（＠−４０℃）、２×１０−３２（＠２５℃）、１×１０−２５（＠８０℃）、２×１０−１７（＠１２５℃）、クリープ定数ｎが２３（＠−４０℃）、２０（＠２５℃）、１７（＠８０℃）、１２．５（＠１２５℃）とした。
【００４９】
（ｖｉ）図１（ｃ）のアルミ製下ケース１について、ヤング率が７２０００ＭＰａ、ポアソン比が０．３、熱膨張係数が２１ｐｐｍ／℃とした。
なお、図１〜図３では角形チップ部品に適用したが、現状のリード部品が、ＱＦＮ（クワッドフラットノンリードパッケージ）、ＢＧＡ（ボールグリッドアレイ）、ＣＳＰ（チップスケールパッケージ）と小型化が進み、リード部分でのはんだ部の歪み緩和構造がないパッケージ形態へ置き換えられた場合、これら部品に適用してもよい。
【００５０】
また、回路基板１０とアルミ製下ケース１の線膨張係数（線膨張率）の比較において、回路基板１０の線膨張係数を、回路基板１０に実装された角形チップ部品（角形チップ抵抗器）２０，２１を上面、即ち、基板実装面から直交する方向から見て、はんだ付けされた電極２６の中心線の方向Ｘの回路基板１０の熱膨張係数とする。その結果、角形チップ部品（角形チップ抵抗器）２０，２１の実装方向に合わせて、回路基板１０の表裏それぞれにおいて最適な電子部品サイズを設定することができる。ただし、図６（ａ）のようにＸ方向に複数の部品が並んでいればよいが、図６（ｂ）のように直交する方向に複数の部品が並んでいる場合には平均値を用いる。さらに、図６（ｃ）のように所定の角度（図では４５度）をおいて複数の部品が並んでいる場合にはその角度に応じた比率での値を用いる。こうすれば回路基板１０上に実装された実装部品の方向によらず、はんだ接続部の寿命を確保しつつ小型化を図ることができる。
【００５１】
尚、チップ部品のサイズの決定は、まず、事前に、平坦な基板上に複数のサイズの電子部品をはんだ付けし回路基板を熱膨張させることで各サイズの電子部品のはんだ接続部の寿命をチェックする。そして、試作基板やテスト基板を用いて実際に製品として機能する電子部品を搭載し、リフロー工程を経てはんだ接続した後の状態にて基板の反りを確認する。この反り状態と予め求めておいた各サイズの電子部品のはんだ接続部の寿命、回路基板の熱膨張率ならびにケースの熱膨張率等から、搭載可能な電子部品のチップサイズを求めることができる。これにより決定した部品サイズにて最終的にはんだ寿命を評価する、といったように回路基板の表側・裏側に搭載可能な最大サイズを決定することができる。
【００５２】
上記実施形態によれば、以下のような効果を得ることができる。
回路基板１０の表裏の各々の面に実装する電子部品としての角形チップ部品（角形チップ抵抗器）２０，２１のサイズについて、少なくとも回路基板１０の筐体（１，２）へ組み付ける前の反り形状及び下ケース１の材質により表裏の各々の面毎に決定した最大サイズ以下にしたので、反った回路基板１０を下ケース１に固定した状態で冷熱サイクルが加わった場合、回路基板１０の表裏の各々の面では電子部品のはんだ接続寿命について状況が異なっており、それに合わせた電子部品の最大サイズ以下にすることにより、はんだ付けにて実装した角形チップ部品（角形チップ抵抗器）２０，２１について冷熱サイクルによる接続部の寿命を確保しつつ小型化を図ることができる。
【００５３】
換言すれば、少なくとも筐体（１，２）へ組み付ける前の回路基板１０の反り状態と、その回路基板１０を固定する筐体（下ケース１）の材質によって、冷熱時のはんだ接続寿命は回路基板１０の表裏ではんだ寿命が低い側と高い側が発生する。回路基板１０に実装された部品のうち、冷熱時のはんだ接続寿命が特に短い部品について低い側の部品を高い側へ実装することで、はんだ接続寿命を向上させることができる。また、図１８（ａ），（ｂ）に示す従来構造においては、はんだ接続寿命を確保するために、回路基板１０へ実装できる部品の最大サイズを一律でサイズダウンして複数部品に分けていたが、本実施形態では、実装部品の最大サイズを一律でサイズダウンする必要がなくなり、部品の数が低減でき、実装コストを低減できる。
【００５４】
即ち、冷熱時のはんだ付け寿命が低い部品に着目し、筐体組み付け前は回路基板１０の反りがあることを前提に、部品を回路基板１０へ実装する際、回路基板１０の反り形状、回路基板１０を固定する下ケース（筐体材料）１の材質によって、部品がはんだ付けにて実装される回路基板１０の実装面を変更することで、冷熱時はんだ接続寿命を向上させることができる。また、同一サイズ部品では回路基板１０の上面側より回路基板１０の下面側の実装部品のはんだ接続寿命を向上させることができ、これにより、回路基板１０の低寿命側に実装された部品を高寿命側へ実装することで、部品サイズを大きくすることができ、部品数の削減による実装コストを低減できる。
（第２の実施の形態）
次に、第２の実施の形態について、第１の実施の形態との相違点を中心に説明する。
【００５５】
図７は、本実施の形態における概略構成図であり、図７（ａ）は回路基板１０に角形チップ部品（角形チップ抵抗器）２０，２１とコネクタ３０を実装した後の筐体収容前の状態を示し、図７（ｂ）は角形チップ部品（角形チップ抵抗器）２０，２１とコネクタ３０を実装した回路基板１０を、筐体（１，２）内に収容した後の状態を示す。
【００５６】
図７の本実施形態においては、図１の第１の実施形態に比べて、回路基板１０の上面Ｓａに配置する部品サイズを基板反り量ｄに応じて小さく、また、回路基板１０の下面Ｓｂの部品サイズを基板反り量ｄに応じて大きくしている。つまり、図８に示すように、基板反り量ｄと部品サイズとの関係において、回路基板１０の上面側に配置する部品については基板反り量ｄが大きいほど部品サイズを小さくし、また、回路基板１０の下面側に配置する部品については基板反り量ｄが大きいほど部品サイズを大きくする。
【００５７】
詳しくは、回路基板１０の上面Ｓａにおいて、アルミ製下ケース１へ組み付ける前の基板反り量ｄが大きいほど、筐体（１，２）へ組み付け後の冷熱サイクル時のはんだ接続部にかかる引張力が大きくなる。そのため、冷熱サイクル時のはんだ接続部の歪みが大きくなり、はんだ接続寿命が低下し、それゆえ、部品サイズを小さくすることで、寿命を確保することができる。また、回路基板１０の下面Ｓｂにおいては、アルミ製下ケース１へ組み付ける前の基板反り量ｄが大きいほど、筐体（１，２）へ組み付け後の冷熱サイクル時のはんだ接続部にかかる圧縮力が大きくなる。そのため、冷熱サイクル時のはんだ接続部のはんだ歪みが小さくなり、はんだ接続寿命が向上し、それゆえ、部品サイズを大きくすることができ、部品の数が低減できる。
【００５８】
このようにして、回路基板１０の熱膨張係数が下ケース１の熱膨張係数より小さい場合、回路基板１０の反り量ｄが大きいほど、回路基板１０の凸側の面へ実装する電子部品の最大サイズを大きく、凹側の面へ実装する電子部品の最大サイズを小さくする。よって、回路基板１０の凹凸に加え、凹凸度合いを考慮することができ、回路基板１０の表裏それぞれにおいて実装可能な最大部品サイズの選定の精度を向上することができる。
（第３の実施の形態）
次に、第３の実施の形態について、第１の実施の形態との相違点を中心に説明する。
【００５９】
図９は、本実施の形態における概略構成図であり、図９（ａ）は回路基板１０に角形チップ部品（角形チップ抵抗器）４１，４２とコネクタ３０を実装した後の筐体収容前の状態を示し、図９（ｂ）は角形チップ部品（角形チップ抵抗器）４１，４２とコネクタ３０を実装した回路基板１０を、筐体（４０，２）内に収容した後の状態を示す。
【００６０】
図９（ｂ）において、電子制御装置は、下ケース４０と上ケース２と回路基板１０と角形チップ部品４１，４２とコネクタ３０が備えられている。角形チップ部品４１，４２は、表面実装部品であって、投影形状が略四角形状のリードレスタイプの電子部品である。この角形チップ部品４１，４２は、その他の部品（図示は省略）と共に回路基板１０に実装される。上ケース２は樹脂あるいは金属よりなる。下ケース４０は鉄よりなり、回路基板１０を固定する基板固定部３を具備している。第１の実施形態と同様にネジ４により回路基板１０が下ケース４０に固定されている。回路基板１０の線膨張係数と鉄製下ケース４０の線膨張係数との関係として、鉄製下ケース４０より回路基板１０の方が線膨張係数が大きい。
【００６１】
また、角形チップ部品４２を回路基板１０の下面側へ、角形チップ部品４２よりサイズが大きい角形チップ部品４１を回路基板１０の上面側へ実装している。つまり、回路基板１０の熱膨張係数が鉄製下ケース４０の熱膨張係数より大きい場合、回路基板１０の反り形状における凹側の面を、凸側の面より、実装する電子部品の最大サイズを大きくしている（Ｌ４１＞Ｌ４２）。即ち、回路基板１０の熱膨張係数が下ケース４０の熱膨張係数より大きい場合、回路基板１０の反り形状における凹側の面に実装される電子部品のうち、最大サイズとなる第１の電子部品（４１）のサイズ（Ｌ４１）は、反り形状における凸側の面に実装される電子部品のうち、最大サイズとなる第２の電子部品（４２）のサイズ（Ｌ４２）よりも大きい。その結果、回路基板１０を固定する下ケース４０の材質（材料）に合わせて、回路基板１０の表裏それぞれにおいて最適な実装部品サイズを設定することができ、筐体材料に適した部品配置とすることができ、電子制御装置の信頼性向上を図ることができるようになる。
【００６２】
回路基板１０の反りについて言及する。
図９（ａ）に示すように、はんだ付け後においては、回路基板１０は、実装部品の重量や回路基板１０の自重により、下に凸の状態、即ち凹形状に反っている。そして、冷熱サイクル時、即ち、図９（ｂ）で実線で示す低温状態から、高温雰囲気下になると、回路基板１０と鉄製下ケース４０の線膨張率の差により、図９（ｂ）での一点鎖線で示すように回路基板１０の反り量が増大する。よって、回路基板１０の下面側の実装部品は、引張力が発生するため、はんだ接続部の歪みが大きくなり、はんだ接続寿命が低下する。一方、回路基板１０の上面側の実装部品は、圧縮力が発生するため、はんだ接続部の歪みが小さくなり、はんだ接続寿命が向上する。そのため、回路基板１０の上面側は回路基板１０の下面側より大きなサイズが実装可能となる。よって、この構造により、サイズダウンして複数部品に分ける必要がなくなるので、部品の数を低減でき、実装コストを低減できる。また、同一サイズ部品では回路基板１０の下面側より回路基板１０の上面側の実装部品のはんだ接続寿命の向上を図ることができる。
【００６３】
この効果は有限要素法（ＦＥＭ）を使って、以下の物性値で弾塑性クリープ解析を実施した結果からも明らかである。
第１の実施の形態において使用した前述の（ｉ）〜（ｖ）の物性値、および、（ｖｉｉ）図９の鉄製下ケース４０について、ヤング率が２０５０００ＭＰａ、ポアソン比が０．３、熱膨張係数が１０．７ｐｐｍ／℃とした。
（第４の実施の形態）
次に、第４の実施の形態について、第３の実施の形態との相違点を中心に説明する。
【００６４】
図１０は、本実施の形態における概略構成図であり、図１０（ａ）は回路基板１０に角形チップ部品（角形チップ抵抗器）４１，４２とコネクタ３０を実装した後の筐体収容前の状態を示し、図１０（ｂ）は角形チップ部品（角形チップ抵抗器）４１，４２とコネクタ３０を実装した回路基板１０を、筐体（４０，２）内に収容した後の状態を示す。
【００６５】
図１０の本実施形態においては、図９の第３の実施形態に比べて、回路基板１０の下面Ｓｂに配置する部品サイズを基板反り量ｄに応じて小さく、また、回路基板１０の上面Ｓａの部品サイズを基板反り量ｄに応じて大きくしている。つまり、図１１に示すように、基板反り量ｄと部品サイズとの関係において、基板下面側に配置する部品については基板反り量が大きいほど部品サイズを小さくし、また、基板上面側に配置する部品については基板反り量が大きいほど部品サイズを大きくする。
【００６６】
詳しくは、回路基板１０の下面において、鉄製下ケース４０へ組み付ける前の基板反り量ｄが大きいほど、筐体（４０，２）へ組み付け後の冷熱サイクル時のはんだ接続部にかかる引張力が大きくなる。そのため、冷熱サイクル時のはんだ接続部の歪みが大きくなり、はんだ接続寿命が低下し、それゆえ、部品サイズを小さくすることで、寿命を確保することができる。また、回路基板１０の上面においては、鉄製下ケース４０へ組み付ける前の基板反り量ｄが大きいほど、筐体（４０，２）へ組み付け後の冷熱サイクル時のはんだ接続部にかかる圧縮力が大きくなる。そのため、冷熱サイクル時のはんだ接続部の歪みが小さくなり、はんだ接続寿命が向上し、それゆえ、部品サイズを大きくすることができ、部品の数が低減できる。
【００６７】
このようにして、回路基板１０の熱膨張係数が鉄製下ケース４０の熱膨張係数より大きい場合、回路基板１０の反り量ｄが大きいほど、回路基板１０の凸側の面へ実装する電子部品の最大サイズを小さく、凹側の面へ実装する電子部品の最大サイズを大きくする。よって、回路基板１０の凹凸に加え、凹凸度合いを考慮することができ、回路基板１０の表裏それぞれにおいて実装可能な最大部品サイズの選定の精度を向上することができる。
（第５の実施の形態）
次に、第５の実施の形態について、第１の実施の形態との相違点を中心に説明する。
【００６８】
図１２は、本実施の形態における概略構成図であり、図１２（ａ）は回路基板１０に電子部品としての角形チップ部品（角形チップ抵抗器）５０，５１とコネクタ３０を実装した後の筐体収容前の状態を示し、図１２（ｂ）は角形チップ部品５０，５１とコネクタ３０を実装した回路基板１０を、筐体（１，２）内に収容した後の状態を示す。
【００６９】
図１２（ｂ）において、電子制御装置は、下ケース１と上ケース２と回路基板１０と角形チップ部品５０，５１とコネクタ３０が備えられている。角形チップ部品５０，５１は、表面実装部品であって、投影形状が略四角形状のリードレスタイプの電子部品である。この角形チップ部品５０，５１は、その他の部品（図示は省略）と共に、はんだ付けにて回路基板１０に実装される。上ケース２は樹脂あるいは金属よりなる。下ケース１はアルミよりなり、回路基板１０を固定する基板固定部３、および、押し戻し部材（柱状突起）５２を具備している。ネジ４により回路基板１０が下ケース１に固定されている。ネジ４による固定箇所は、長方形状をなす回路基板１０における四隅の四箇所である。押し戻し部材５２は柱状の突起であり、下ケース１の中央付近に一体的に形成され、ネジ４により回路基板１０が下ケース１に固定された状態において回路基板１０の反りを押し戻す。
【００７０】
角形チップ部品５０が回路基板１０の上面（表面）Ｓａ側へ、角形チップ部品５１が回路基板１０の下面（裏面）Ｓｂ側へ実装されている。ここで、角形チップ部品５０に比べ角形チップ部品５１の方がサイズが大きくなっており（Ｌ５１＞Ｌ５０）、回路基板１０の筐体へ組み付ける前の反り形状により表裏の各々の面毎に決定した最大サイズ以下にしている。これにより、本実施形態においてもはんだ接続部の寿命を確保しつつ小型化を図ることができる。
【００７１】
回路基板１０の反りについて言及する。
図１２（ａ）の回路基板１０が反った状態から図１２（ｂ）に示すように、回路基板１０を下ケース１へ組み付けた際に、回路基板１０の反りが戻される。そのため、回路基板１０の下面側の角形チップ部品５１のはんだ付け部には圧縮力が発生し、それによって冷熱サイクル時のはんだ接続寿命が向上する。また、回路基板１０の上面側の実装部品は、回路基板１０の反りが戻されることにより、引張力が発生し、そのため、冷熱サイクル時のはんだ接続寿命が低下する。それゆえ、回路基板１０の下面側は回路基板１０の上面側より大きなサイズが実装可能となり、部品の数が低減できる。
【００７２】
上記実施形態によれば、以下のような効果を得ることができる。
第１の筐体としての下ケース１に押し戻し部材１５を備えた電子制御装置において、回路基板１０の表裏の各々の面に実装する角形チップ部品５０，５１のサイズについて、少なくとも回路基板１０の筐体（１，２）へ組み付ける前の反り形状により表裏の各々の面毎に決定した最大サイズ以下にした。これにより、回路基板１０を下ケース１に反りを押し戻しつつ固定した状態において回路基板１０の表裏の各々の面では冷熱サイクル時の電子部品のはんだ接続寿命について状況が異なっており、それに合わせた電子部品の最大サイズ以下にすることにより、はんだ付けにて実装した角形チップ部品５０，５１について冷熱サイクルによる接続部の寿命を確保しつつ小型化を図ることができる。
【００７３】
換言すれば、回路基板１０を筐体（１，２）へ組み付けした際に、回路基板１０の反りが戻されるため、回路基板１０の実装部品のはんだ部には回路基板１０の表裏両面で圧縮と引張状態が発生する。圧縮側は、冷熱時のはんだ寿命が向上するため、回路基板１０に実装された電子部品のうち、冷熱時のはんだ接続寿命が特に短い電子部品について寿命が持たない電子部品は圧縮側へ実装することで、はんだ接続寿命を向上させることができる。
【００７４】
また、回路基板１０の反り形状の凸側の面を、凹側の面より、実装する最大サイズを大きくする。よって、回路基板１０の反り形状に合わせて、回路基板１０の表裏それぞれにおいて最適な実装部品サイズを設定することができ、反り形状に適した部品配置とすることができ、電子制御装置の信頼性向上を図ることができる。即ち、反り戻し時に凸側の面ははんだ部に圧縮力が加わり、冷熱時に凸側の面のはんだ接続寿命が凹側の面より長くなり、寿命が持たない部品は凸側の面へ実装することで、はんだ接続寿命を向上させることができる（上面側に実装した部品を下面側へ実装することで、はんだ寿命を向上させることができる）。また、従来のように、はんだ接続寿命を確保するために、回路基板１０へ実装できる部品の最大サイズを一律でサイズダウンさせる必要がなくなり、部品の数が低減でき、実装コストが低減できる。
（第６の実施の形態）
次に、第６の実施の形態について、第５の実施の形態との相違点を中心に説明する。
【００７５】
図１２に代わる構成として、本実施形態においては、図１３に示すように、回路基板１０の上面の部品サイズを基板反り量ｄに応じて小さくし（回路基板１０の反り量ｄが大きいほど、回路基板１０の凹側の面へ実装する電子部品の最大サイズを小さくし）、また、回路基板１０の下面の部品サイズを基板反り量ｄに応じて大きくしている（回路基板１０の反り量ｄが大きいほど、回路基板１０の凸側の面へ実装する電子部品の最大サイズを大きくする）。つまり、図１４に示すように、基板反り量ｄと部品サイズとの関係において、基板上面側に配置する部品については基板反り量ｄが大きいほど部品サイズを小さくし、また、基板下面側に配置する部品については基板反り量ｄが大きいほど部品サイズを大きくする。よって、回路基板１０の凹凸に加え、凹凸度合いを考慮することができ、回路基板１０の表裏それぞれにおいて実装可能な最大部品サイズの選定の精度向上を図ることができる。
【００７６】
詳しくは、回路基板１０の上面において、下ケース１へ組み付ける前の基板反り量ｄが大きいほど、回路基板１０を下ケース１へ組み付けた際に、回路基板１０の反り戻りによるはんだ付け部にかかる引張力が大きくなり、冷熱サイクル時のはんだ接続寿命が低下する。そのため、部品サイズを小さくすることで、寿命を確保することができる。また、回路基板１０の下面においては、下ケース１へ組み付ける前の基板反り量ｄが大きいほど、回路基板１０を下ケース１へ組み付けた際に、回路基板１０の反り戻りによるはんだ付け部にかかる圧縮力が大きくなり、冷熱サイクル時のはんだ接続寿命が向上する。そのため、部品サイズを大きくすることができ、部品の数が低減できる。
【００７７】
また、押し戻し部材５２により回路基板１０の反りを戻す量が小さいほど、回路基板１０の表裏の各々の面に実装する角形チップ部品５０，５１の最大サイズを小さくする。よって、回路基板１０を筐体（１，２）へ組み付けした際の回路基板１０の反り戻し量を考慮して、回路基板１０の表裏それぞれにおいて実装可能な最大部品サイズの選定の精度向上を図ることができる。
【００７８】
前記各実施形態は以下のように変更してもよい。
これまで説明してきた各実施態様に対し、以下の要素を加味して回路基板１０の表裏の各々の面に実装する電子部品についての部品サイズの最大値を決定してもよい。
【００７９】
回路基板１０に実装されたリードレスタイプの電子部品の種類、具体的には、チップ部品、ＱＦＮ、ＢＧＡ、ＣＳＰなどによって決定する。このように、第１〜第４の実施形態において、回路基板１０の表裏の各々の面に実装する電子部品の最大サイズを、少なくとも回路基板１０の筐体へ組み付ける前の反り形状、下ケース１，４０の材質、及び電子部品の種類によって決定してもよい。その結果、電子部品の種類毎にはんだ寿命が確保できる部品最大サイズを規定することができ、上述した第１〜第４の実施形態の効果を電子部品の種類毎で得ることができるようになる。また、第５，６の実施形態において、回路基板１０の表裏の各々の面に実装する電子部品の最大サイズを、少なくとも回路基板１０の筐体へ組み付ける前の反り形状、及び電子部品の種類によって決定してもよい。その結果、電子部品の種類毎にはんだ寿命が確保できる部品最大サイズを規定することができ、第５，６の実施形態の効果を電子部品の種類毎で得ることができる。
【００８０】
また、図１５に示すように、電子制御装置が車両などへ搭載される温度が高いほど、回路基板１０の上面側及び下面側へ実装する電子部品の最大サイズを小さくする。搭載環境が高いと、はんだ付け部の寿命の低下を招くので、車両搭載環境に応じて、部品サイズを変更することで、はんだ寿命を確保することができる。このようにして、回路基板１０の表裏の各々の面に実装する電子部品の最大サイズを、電子制御装置が搭載される温度環境が高いほど小さくすると、いろいろな搭載環境に適した、実装部品配置が可能となり、電子制御装置の信頼性向上を図ることができる。
【００８１】
また、図１６に示すように、回路基板１０へ部品を実装する際に部品へ供給するはんだ量が多いほど、回路基板１０の上面側及び下面側へ実装する電子部品の最大サイズを大きくする。はんだ供給量が少ないと冷熱サイクル時のはんだ付け部の寿命の低下を招くので、はんだ量供給量に応じて、部品サイズを変更することで、はんだ寿命を確保することができる。このようにして、回路基板１０の表裏の各々の面に実装する電子部品の最大サイズを、はんだ供給量が少ないほど小さくすることにより、はんだ供給量に適した、実装部品配置が可能となり、電子制御装置の信頼性向上を図ることができる。
【００８２】
また、第２、第４及び第６実施形態における回路基板１０の反り量ｄを、少なくとも、基板サイズ、基板厚さ、基板構造（各層構成）に応じた基板物性（基板剛性等）、実装部品総重量から推定する（基板反り量ｄを演算にて算出する）こともできる。これにより、回路基板１０の凹凸に加え、凹凸度合いを考慮することができ、しかも、回路基板１０の表裏それぞれにおいて実装可能な最大部品サイズの選定が電気回路（サーキット）を製作する前にでき、冷熱評価での不良（ＮＧ）による設計変更を低減することができる。
【００８３】
詳しくは、図１７に示す基板反り量ｄの算出フローのごとく、まず、回路基板に関する情報を設定する。具体的には、回路基板１０のサイズ（縦・横の各寸法）、基板厚さ、基板構造（単層、多層）に応じた基板物性を設定することとし、多層基板ならば各層毎に材料物性を設定し、この材料物性の設定は、各層の銅（導体）と基材（絶縁材）の割合、銅と基材の材料定数を設定することにより行う。具体的には、弾性率、降伏応力、クリープ定数、線膨張係数、ポアソン比、密度を設定し、温度依存特性がある場合はそれも合わせて設定する。また、実装部品総重量も設定する。
【００８４】
このようにして回路基板１０に関する情報を設定した後に、図１７において回路基板１０に実装する電子部品の材料物性を設定する。具体的には、弾性率、降伏応力、クリープ定数、線膨張係数、ポアソン比、密度を設定し、温度依存特性がある場合はそれも合わせて設定する。
【００８５】
引き続き、温度条件（はんだ付け時温度）、回路基板のいずれの面を下にするという重力条件を設定する。
さらに、はんだ付け時の基板支持条件（例えば、５ｍｍの幅でレールにセットする等）を設定する。
【００８６】
これらの情報を用いて有限要素法（ＦＥＭ）にて、基板の反り量を算出する。
このように、試作品により反り量を測定し、この測定した反り量から部品の最大サイズを求める場合に比べ、事前に基板の反り量を予測することができ、第２、第４及び第６実施形態の実装部品サイズを容易に決定することができる。
【図面の簡単な説明】
【００８７】
【図１】（ａ）は第１の実施形態を説明するための回路基板に電子部品とコネクタを実装する前の状態図、（ｂ）は回路基板に電子部品とコネクタを実装した後の筐体収容前の状態図、（ｃ）は回路基板を筐体内に収容した後の状態図。
【図２】電子部品としての角状チップ抵抗器を回路基板に実装した状態での平面図。
【図３】図２におけるＡ−Ａ線での縦断面図。
【図４】回路基板の平面構成図。
【図５】回路基板の下面構成図。
【図６】（ａ），（ｂ），（ｃ）は回路基板における角形チップ抵抗器の配置を示す平面図。
【図７】（ａ）は第２の実施形態を説明するための回路基板に電子部品とコネクタを実装した後の筐体収容前の状態図、（ｂ）は回路基板を筐体内に収容した後の状態図。
【図８】第２の実施形態における基板反り量と実装部品サイズとの関係を示す図。
【図９】（ａ）は第３の実施形態を説明するための回路基板に電子部品とコネクタを実装した後の筐体収容前の状態図、（ｂ）は回路基板を筐体内に収容した後の状態図。
【図１０】（ａ）は第４の実施形態を説明するための回路基板に電子部品とコネクタを実装した後の筐体収容前の状態図、（ｂ）は回路基板を筐体内に収容した後の状態図。
【図１１】第４の実施形態における基板反り量と実装部品サイズとの関係を示す図。
【図１２】（ａ）は第５の実施形態を説明するための回路基板に電子部品とコネクタを実装した後の筐体収容前の状態図、（ｂ）は回路基板を筐体内に収容した後の状態図。
【図１３】（ａ）は第６の実施形態を説明するための回路基板に電子部品とコネクタを実装した後の筐体収容前の状態図、（ｂ）は回路基板を筐体内に収容した後の状態図。
【図１４】第６の実施形態における基板反り量と実装部品サイズとの関係を示す図。
【図１５】搭載温度と実装部品サイズとの関係を示す図。
【図１６】はんだ供給量と実装部品サイズとの関係を示す図。
【図１７】基板反り量の演算順序を示すフロー図。
【図１８】（ａ）は背景技術を説明するための回路基板に電子部品とコネクタを実装した後の状態図、（ｂ）は回路基板を筐体内に収容した後の状態図。
【符号の説明】
【００８８】
１…下ケース、２…上ケース、４…ネジ、１０…回路基板、２０…角形チップ部品、２１…角形チップ部品、２６…電極、４０…下ケース、４１…角形チップ部品、４２…角形チップ部品、５０…角形チップ部品、５１…角形チップ部品、５２…押し戻し部材、Ｓａ…上面、Ｓｂ…下面。
【図１】
2007250772.tif 000003
【図２】
2007250772.tif 000004
【図３】
2007250772.tif 000005
【図４】
2007250772.tif 000006
【図５】
2007250772.tif 000007
【図６】
2007250772.tif 000008
【図７】
2007250772.tif 000009
【図８】
2007250772.tif 000010
【図９】
2007250772.tif 000011
【図１０】
2007250772.tif 000012
【図１１】
2007250772.tif 000013
【図１２】
2007250772.tif 000014
【図１３】
2007250772.tif 000015
【図１４】
2007250772.tif 000016
【図１５】
2007250772.tif 000017
【図１６】
2007250772.tif 000018
【図１７】
2007250772.tif 000019
【図１８】
2007250772.tif 000020